(57)【要約】      （修正有）【課題】回転ドラムから高反発シートを引き出すストロークの際に、どのストローク位置に於いても同じ回転トルクが得ることが出来き、ロングストロークの使用に於いても安定した耐久性を得ることが可能な保護カバーを提供する。【解決手段】高反発シート１の丸まろうとする反発力により回転ドラム２に回転トルク与え、その回転トルクを利用して高反発シート１をその回転ドラム１に巻き付けたり引き出したりすることにより、巻取りカバーとして機能させる。フランジ３に高反発シート１の一端をアーチ状に形造り固定する。この高反発シート１の特性を利用しシート形状をアーチ状に維持させることで、従来一面だけの保護だった巻取りカバーは複数面の保護が可能となった。【選択図】図２
0003165492.tif 000002
【実用新案登録請求の範囲】
【請求項１】
回転ドラムの回転トルクを利用して、シートをその回転ドラムに巻き付けたり引き出したりしてストロークさせ使用する巻取りカバーに於いて、従来の織物にゴムをコーティングしたシートに替わり、バネ材の様に高反発力を持った樹脂材料から成るシートをロール状に丸めて熱変形させ、其の一端を回転ドラムに固定し、シートの丸まろうとする反発力を利用して、回転ドラムに回転トルク与えることを特徴とした高反発巻取りカバー
【請求項２】
請求項１の如く一端を回転ドラムに固定し巻き付けた、高反発力を持った樹脂材料から成る、ロール状に熱変形させたシートの反対側の一端をアーチ状に形造り、金属或いは樹脂材料から成るフランジに固定し形状を規制することによって、回転ドラムから引き出されたシートは、アーチ状に成ろうとする。
逆に回転ドラムに巻き付こうとする際には元の平たい形状に戻ろうとする。この一連の高反発力を持ったシートの特性を利用することにより、回転ドラムから引き出されたシート形状をアーチ状に維持させることを特徴とした高反発巻取りカバー
【考案の詳細な説明】
【技術分野】
【０００１】本考案は、主として工作機械の保護カバー、その他一般産業機械の保護カバーとして活用するものに関する。
【背景技術】
【０００２】回転ドラムの回転トルクを利用して、シートをその回転ドラムに巻き付けたり引き出したりしてストロークさせ使用する巻取りカバーに於いて、その回転トルクは従来より回転ドラム内に設置したバネの力によって得ていた。
巻き取りカバーの主な用途である工作機械の保護カバーは、近年の著しい工作機械の大型化と高い稼働率に伴い、ロングストローク、高耐久性が必要とされる。バネを用いた巻き取りカバーのロングストロークの使用においては、バネの耐久性の問題で条件によっては早期に破損するといった問題があった。
又、工作機械の保護カバーとして使用する巻き取りカバーは、直線的な形状の回転ドラムにシートを巻き付ける為、回転ドラムから引き出されたシートは平面的なものであり、多面方向からの切削油、切粉等に対しての保護カバーとしては単独での使用は不向きであった。
【考案の開示】
【考案が解決しようとする課題】
【０００３】近年の著しい工作機械の大型化と高い稼働率に伴い、巻き取りカバーの主な用途である工作機械の保護カバーは、ロングストローク、高耐久性が必要とされる。その為、ロングストロークの使用に於いても高耐久性を持ったバネ或いはその他の方法で高い耐久性を有する巻き取りカバーの開発が必要であった。
又、従来の巻取りカバーは平面的なカバーであり、多面方向からの切削油、切粉等に対しての保護カバーとしては単独での使用は不向きである為、一面だけではなく複数面を保護できる巻き取りカバーの開発が必要であった。
【課題を解決するための手段】
【０００４】本考案はかかる問題を解決するため鋭意研究し得られたもので、高反発巻取りカバーに関するものであり、其の内容について以下、図面に従って説明する。
【実施例】
【０００５】請求項１、２に記載の高反発巻取りカバーに関する断面図を図１に示す。
その斜視図を図２に示す。【０００６】図１の断面図は請求項１に関するものであり、バネ材の様に高反発力を持った樹脂材料から成る高反発シート１をロール状に丸めて熱変形させ、其の一端を回転ドラム２に固定し、巻き付けることで高反発巻取りカバーは構成される。【０００７】高反発シート１の丸まろうとする反発力により回転ドラム２に回転トルク与え、その回転トルクを利用して高反発シート１をその回転ドラム１に巻き付けたり引き出したりしてストロークさせることにより、巻取りカバーとして機能する。【０００８】図２の斜視図は請求項２に関するものであり、バネ材の様に高反発力を持った樹脂材料から成る高反発シート１をロール状に丸めて熱変形させ、其の一端を回転ドラム２に固定し、その反対側の一端をアーチ状に形造り、金属或いは樹脂材料から成るフランジ３に固定することで高反発巻取りカバーは構成される。【０００９】アーチ状に形造り、フランジ３に固定された高反発シート１の一端を、回転ドラム２から引き出す過程に於いて、高反発シート１はアーチ状に成ろうとする。逆に回転ドラム２に巻き付こうとする際には元の平たい形状に戻ろうとする。この高反発シート１の特性を利用し、回転ドラム２から引き出されたシート形状をアーチ状に維持させることにより、従来一面だけの保護だった巻取りカバーは複数面が保護可能となる。
【考案の効果】
【００１０】従来のバネを使用した巻き取りカバーでは回転ドラムからシートを引き出したり巻き戻したりしてストロークさせる際に、引き出すストロークが長くなるにつれて回転トルクが大きくなる為、回転トルクの原動力となるバネの疲労はストローク回数増加と共に大きくなり、やがて疲労限界に達するとバネは破損し巻き取りカバーとして機能しなくなる。一方、本考案による巻き取りカバーに於いて、高反発シート１の丸まろうとする反発力により回転ドラム２に回転トルクが与えられたが、その回転トルクは回転ドラム２から高反発シート１を引き出すストロークの際に、どのストローク位置に於いても同じ回転トルクが得ることが出来き、ロングストロークの使用に於いても安定した耐久性を得ることが可能となった。
又、従来のバネを使用した巻き取りカバーでは多方面からの切粉、切削油等に対しては単独で使用した場合、全てを保護することは出来なかったが、本考案による巻き取りカバーに於いては、高反発シート１の特性を利用してアーチ状にすることによって多方面からの切粉、切削油等に対しての保護が可能となった。
【図面の簡単な説明】
【図１】請求項１に記載の高反発巻取りカバーに関する断面図
【図２】請求項２に記載の高反発巻取りカバーに関する斜視図
【符号の説明】１  高反発シート
２  回転ドラム
３  フランジ
【図１】
0003165492.tif 000003
【図２】
0003165492.tif 000004
【手続補正書】
【提出日】平成22年10月29日(2010.10.29)
【手続補正１】
【補正対象書類名】実用新案登録請求の範囲
【補正対象項目名】全文
【補正方法】変更
【補正の内容】
【実用新案登録請求の範囲】
【請求項１】
回転ドラムの回転トルクを利用して、シートをその回転ドラムに巻き付けたり引き出したりしてストロークさせ使用する巻取りカバーに於いて、織物にゴムをコーティングしたシートに替わり、バネ材の様に高反発力を持った樹脂材料から成るシートをロール状に丸めて熱変形させ、其の一端を回転ドラムに固定し、シートの丸まろうとする反発力を利用して、回転ドラムに回転トルク与えることを特徴とした高反発巻取りカバー
【請求項２】
回転ドラムの回転トルクを利用して、シートをその回転ドラムに巻き付けたり引き出したりしてストロークさせ使用する巻取りカバーに於いて、織物にゴムをコーティングしたシートに替わり、バネ材の様に高反発力を持った樹脂材料から成るシートをロール状に丸めて熱変形させ、其の一端を回転ドラムに固定し、シートの丸まろうとする反発力を利用して、回転ドラムに回転トルク与えることを特徴とした請求項１に記載の高反発巻取りカバーに於いて一端をアーチ状に形造り、金属或いは樹脂材料から成るフランジに固定し形状を規制することによって、回転ドラムから引き出されたシートは、アーチ状に変形しようとし、逆に回転ドラムに巻き付こうとする際には元の平たい形状に戻ろうとするこの一連の高反発力を持ったシートの特性を利用することにより、回転ドラムから引き出されたシート形状をアーチ状に維持させることを特徴とした高反発巻取りカバー